(57)【要約】【課題】任意にユーザに対応したコンテンツを提供することを課題とする。【解決手段】車載装置２０は、自装置を一意に識別する車載装置ＩＤをセンターに送信し、センター１０から複数のユーザ情報を受信した場合に、コンテンツの提供を依頼するユーザを特定したユーザＩＤをセンター１０に通知する。また、センター１０は、車載装置ＩＤに対応付けて、ユーザ情報を記憶し、車載装置２０から車載装置ＩＤを受け付けた場合に、当該車載装置ＩＤに対応付けて記憶されるユーザ情報を車載装置２０に送信し、ユーザＩＤを車載装置２０から受信した場合に、当該ユーザＩＤに対応するコンテンツを車載装置２０に提供する。【選択図】図２
2010178076.tif 000002
【特許請求の範囲】
【請求項１】
ネットワークを介して接続されるセンターからコンテンツを受信するコンテンツ出力装置であって、
前記コンテンツ出力装置を一意に識別する装置識別子をセンターに送信する識別子送信手段と、
前記識別子送信手段によって送信された装置識別子に基づいて、前記コンテンツ出力装置を利用するユーザに関するユーザ情報を前記センターから複数受信した場合に、ユーザを特定し、当該ユーザ特定情報をセンターに通知するユーザ特定手段と、
前記ユーザ特定手段により特定されたユーザに対応したコンテンツを前記センターから受信するコンテンツ受信手段と、
を備えたことを特徴とするコンテンツ出力装置。
【請求項２】
複数の項目内容を有するユーザ情報を携帯端末から取得して記憶するユーザプロファイル記憶手段と、
前記センターからユーザ情報を受信した場合に、当該受信したユーザ情報と、前記ユーザプロファイル記憶手段に記憶されるユーザ情報とを比較し、前記受信したユーザ情報と前記ユーザプロファイル記憶手段に記憶されるユーザ情報とのいずれか一方に登録されており、他方のユーザ情報には登録されていない項目内容が存在する場合に、前記受信したユーザ情報と前記ユーザプロファイル記憶手段とのいずれか一方に登録されている項目内容を、他方のユーザ情報に追加登録する情報更新手段とをさらに備えたことを特徴とする請求項１に記載のコンテンツ出力装置。
【請求項３】
複数の項目内容と更新日時とを有するユーザ情報を携帯端末から取得して記憶するユーザプロファイル記憶手段と、
前記センターからユーザ情報を受信した場合に、当該受信したユーザ情報よりも前記ユーザプロファイル記憶手段に記憶されるユーザ情報の更新日時が古い場合には、前記受信したユーザ情報で前記ユーザプロファイル記憶手段に記憶されるユーザ情報を更新し、当該受信したユーザ情報よりも前記ユーザプロファイル記憶手段に記憶されるユーザ情報の更新日時が新しい場合には、前記ユーザプロファイル記憶手段に記憶されるユーザ情報を前記センターに送信する更新通知手段とをさらに備えたことを特徴とする請求項１に記載のコンテンツ出力装置。
【請求項４】
コンテンツを提供するセンターと、前記センターから提供されたコンテンツを出力するコンテンツ出力装置とを有するコンテンツ提供システムであって、
前記コンテンツ出力装置は、
当該コンテンツ出力装置を利用するユーザに関するユーザ情報を記憶するユーザプロファイル記憶手段と、
当該コンテンツ出力装置を一意に識別する装置識別子をセンターに送信する識別子送信手段と、
前記センターから複数のユーザ情報を受信した場合に、ユーザを特定し、当該ユーザ特定情報をセンターに通知するユーザ特定手段と、
前記センターは、
前記装置識別子に対応付けて、前記ユーザ情報を記憶するユーザ情報記憶手段と、
前記コンテンツ出力装置から装置識別子を受け付けた場合に、当該装置識別子に対応付けて記憶されるユーザ情報を前記ユーザ情報記憶手段から特定して、前記コンテンツ出力装置に送信するユーザ情報送信手段と、
前記ユーザ特定情報をコンテンツ出力装置から受信した場合に、当該ユーザ特定情報に対応するコンテンツを前記コンテンツ出力装置に提供するコンテンツ提供手段と、
を備えたことを特徴とするコンテンツ提供システム。
【発明の詳細な説明】
【技術分野】
【０００１】
本発明は、ネットワークを介して接続されるセンターからコンテンツを受信するコンテンツ出力装置およびコンテンツ提供システムに関する。
【背景技術】
【０００２】
従来より、車両に搭載される車載装置がセンターに対して情報配信依頼を送信し、センターが依頼された情報や車載装置に対応した情報などを車載装置に送信する車載システムが利用されている。
【０００３】
具体的には、センターは、車載装置を一意に識別するＩＤに対応付けて、車載装置のユーザ情報（例えば、氏名、年齢、性別、住所、趣味）などを記憶している。このような環境において、車載装置は、車両のＡＣＣ（エンジン）がＯＮにされると、ＩＤをセンターに送信する。すると、センターでは、受信したＩＤに対応するユーザ情報を取得し、取得したユーザ情報に対応するコンテンツ（例えば、音楽やニュースなど）を車載装置に提供する。
【０００４】
また、例えば、車載装置は、カーナビゲーションなどで目的地などが設定されると、設定された目的地をセンターに送信し、センターは、受信した目的地の天気・交通情報などを車載装置に送信する。このようにすることで、車載装置は、ドライバーに必要な情報、ドライバーに有益な情報をセンターから取得してドライバーに通知することができる。
【先行技術文献】
【特許文献】
【０００５】
【特許文献１】特開２００７−０１９７３８号公報
【特許文献２】特開２００４−２５１７１０号公報
【発明の概要】
【発明が解決しようとする課題】
【０００６】
しかしながら、上記した従来の技術は、センターに登録された固定ユーザに対応したコンテンツ情報しか提供することができないという課題があった。具体的には、車載装置に対応付けてセンターに登録されているユーザ以外の人が運転する場合、登録されているユーザに対応したコンテンツしか提供されず、車載装置に対応付けて登録されているユーザ以外にはサービスを提供できない。
【０００７】
本発明は、上記に鑑みてなされたものであって、任意にユーザに対応したコンテンツを提供することが可能であるコンテンツ出力装置およびコンテンツ提供システムを提供することを目的とする。
【課題を解決するための手段】
【０００８】
上述した課題を解決し、目的を達成するために、本発明は、ネットワークを介して接続されるセンターからコンテンツを受信するコンテンツ出力装置であって、前記コンテンツ出力装置を一意に識別する装置識別子をセンターに送信する識別子送信手段と、前記識別子送信手段によって送信された装置識別子に基づいて、前記コンテンツ出力装置を利用するユーザに関するユーザ情報を前記センターから複数受信した場合に、ユーザを特定し、当該ユーザ特定情報をセンターに通知するユーザ特定手段と、前記ユーザ特定手段により特定されたユーザに対応したコンテンツを前記センターから受信するコンテンツ受信手段と、を備えたことを特徴とする。
【０００９】
また、本発明は、コンテンツを提供するセンターと、前記センターから提供されたコンテンツを出力するコンテンツ出力装置とを有するコンテンツ提供システムであって、前記コンテンツ出力装置は、当該コンテンツ出力装置を利用するユーザに関するユーザ情報を記憶するユーザプロファイル記憶手段と、当該コンテンツ出力装置を一意に識別する装置識別子をセンターに送信する識別子送信手段と、前記センターから複数のユーザ情報を受信した場合に、ユーザを特定し、当該ユーザ特定情報をセンターに通知するユーザ特定手段と、前記センターは、前記装置識別子に対応付けて、前記ユーザ情報を記憶するユーザ情報記憶手段と、前記コンテンツ出力装置から装置識別子を受け付けた場合に、当該装置識別子に対応付けて記憶されるユーザ情報を前記ユーザ情報記憶手段から特定して、前記コンテンツ出力装置に送信するユーザ情報送信手段と、前記ユーザ特定情報をコンテンツ出力装置から受信した場合に、当該ユーザ特定情報に対応するコンテンツを前記コンテンツ出力装置に提供するコンテンツ提供手段と、を備えたことを特徴とする。
【発明の効果】
【００１０】
本発明によれば、任意にユーザに対応したコンテンツを提供することが可能であるという効果を奏する。
【図面の簡単な説明】
【００１１】
【図１】図１は、実施例１に係る車載システムの全体構成を示すシステム構成図である。
【図２】図２は、実施例１に係る車載システムの構成を示すブロック図である。
【図３】図３は、ユーザ情報ＤＢに記憶される情報の例を示す図である。
【図４】図４は、コンテンツＤＢに記憶される情報の例を示す図である。
【図５】図５は、ユーザプロファイルＤＢに記憶される情報の例を示す図である。
【図６−１】図６−１は、ユーザ登録／編集画面の例を示す図である。
【図６−２】図６−２は、新規登録画面の例を示す図である。
【図６−３】図６−３は、ユーザ編集画面の例を示す図である。
【図６−４】図６−４は、ユーザ編集画面の例を示す図である。
【図７】図７は、実施例１に係る車載システムにおけるコンテンツ提供処理の流れを示すシーケンス図である。
【図８】図８は、車載装置とセンターとを用いた別の車載システムの例を示す図である。
【図９】図９は、実施例２に係る車載システムにおけるユーザ情報同期処理の流れを示すフローチャートである。
【図１０】図１０は、ユーザ情報の整合および反映条件を示す図である。
【図１１】図１１は、ユーザ情報反映ルールの例を示す図である。
【発明を実施するための形態】
【００１２】
以下に添付図面を参照して、この発明に係るコンテンツ出力装置およびコンテンツ提供システムの実施例を詳細に説明する。なお、以下では、本実施例に係るコンテンツ出力装置およびコンテンツ提供システムの概要、コンテンツ出力装置およびコンテンツ提供システムの構成および処理の流れを順に説明し、最後に本実施例に対する種々の変形例を説明する。
【００１３】
なお、本実施例では、コンテンツ出力装置を車載装置に適用した車載システムを例にして説明するが、これに限定されるものではなく、コンテンツ出力装置をＷｅｂＴＶなどに適用するなど、コンテンツ出力装置を様々な装置に適用した各種システム（例えば、ＷｅｂＴＶに適用した家庭内ＬＡＮ、Ｗｅｂで講義を行う講義システムなど）に用いることができる。また、この実施例によりこの発明が限定されるものではない。
【実施例１】
【００１４】
［車載システムの概要］
最初に、図１を用いて、実施例１に係る車載システムの概要を説明する。図１は、実施例１に係る車載システムの全体構成を示すシステム構成図である。図１に示すように、この車載システムは、車両に搭載された車載システムと、各種コンテンツを提供するサービス提供装置などのサーバを有するセンターとを有して構成される。なお、ここでは、１台のセンターと、１台の車載装置を図示した例を示しているが、これに限定されるものではない。
【００１５】
かかる車載装置は、自装置を一意に識別する車載装置ＩＤを記憶し、車両に搭載される車載オーディオ装置などの他の装置と連携接続される装置である。例えば、車載装置は、センターなどの外部から受信したＴＶ、カーナビゲーション装置から入力されるカーナビ情報、ＤＶＤなどの記憶媒体から取得した映画などの各種コンテンツ（画像データおよび音声データ）を車両内に提供する装置である。
【００１６】
また、センターは、車載装置のユーザを記憶し、ユーザに対応したコンテンツを提供するサーバなどである。具体的には、センターは、『無線通信で接続される車載装置を一意に識別する「車載装置ＩＤ」、車載装置のユーザを識別する「ユーザＩＤ」、ユーザＩＤに対応するユーザの情報を示す「ユーザ情報」』を対応付けて記憶する「ユーザ情報ＤＢ」と、音楽や映画などネットワークを介して提供する「コンテンツ」を記憶する「コンテンツＤＢ」を有する。
【００１７】
例えば、「ユーザ情報ＤＢ」には、「車載装置ＩＤ、ユーザＩＤ、ユーザ情報」として「Ｓ０１、Ｕ００１、情報Ａ（氏名、電話番号、性別、趣味など）」や「Ｓ０１、Ｕ００２、情報Ｂ」などが記憶され、「コンテンツＤＢ」には、コンテンツとして「コンテンツＡ」と「コンテンツＢ」とが記憶される。
【００１８】
このような状態において、車載装置は、ＡＣＣ（エンジン）がＯＮされると車載装置ＩＤをセンターに送信する（図１の（１）参照）。具体的に例を挙げると、車載装置は、ドライバーなどによりＡＣＣのスイッチなどがＯＮにされると、自装置内で記憶する車載装置ＩＤ（Ｓ０１）を無線通信により、センターに送信する。
【００１９】
そして、センターでは、車載装置ＩＤに対応したユーザ情報を車載装置に送信する（図１の（２）参照）。具体的に例を挙げると、センターは、車載装置が受信した車載装置ＩＤ（Ｓ０１）に対応するユーザ情報（Ｕ００１／情報Ａ、Ｕ００２／情報Ｂ）をユーザ情報ＤＢから取得し、取得したユーザ情報（Ｕ００１／情報Ａ、Ｕ００２／情報Ｂ）を車載装置ＩＤ＝Ｓ０１の車載装置に送信する。
【００２０】
続いて、車載装置は、センターからユーザ情報を受信すると、受信したユーザ情報のうち特定されたユーザ情報をセンターに送信する（図１の（３）参照）。具体的に例を挙げると、車載装置は、センターから受信したユーザ情報（Ｕ００１／情報Ａ、Ｕ００２／情報Ｂ）などをディスプレイやタッチパネルなどの表示部に表示し、ユーザからの選択を受け付ける。そして、車載装置は、ユーザに選択されたことで、コンテンツを提供して欲しいと特定されたユーザ情報（Ｕ００２）をセンターに送信する。
【００２１】
なお、ユーザ特定手法は、これに限定されるものではなく、例えば、車載装置が車両内に存在する携帯電話と無線通信を行って電話番号を取得し、取得した電話番号（例えば、位置解析や方向解析などから運転席から取得したと特定された電話番号など）に一致するユーザ情報を自動的に選択するようにしてもよい。また、図２に示すように、車載装置２０は、特定されたユーザに対応したシステム設定、例えば、高年齢であれば、ディスプレイ２９の表示文字を大きくしたり、スピーカー３０の出力音声を大きくしたりするなどを行う。
【００２２】
その後、センターは、受信したユーザ情報に対応するコンテンツを車載装置に提供する（図１の（４）参照）。具体的に例を挙げると、センターは、受信したユーザＩＤ（Ｕ００２）に対応するユーザ情報Ｂをユーザ情報ＤＢから特定する。続いて、センターは、特定したユーザ情報Ｂ（例えば、趣味が音楽）に対応するコンテンツＢ（例えば、今月のヒットチャート）をコンテンツＤＢから特定し、特定したコンテンツＢを車載装置に提供する。
【００２３】
このように、実施例１に係る車載システムでは、車両を良く使うユーザ以外のユーザの情報も登録しておき、どのユーザ情報を用いるかをユーザに選択させることができる結果、任意にユーザに対応したコンテンツを提供することが可能である。
【００２４】
［車載システムの構成］
次に、図２を用いて、図１に示した車載システムの構成を説明する。図２は、実施例１に係る車載システムの構成を示すブロック図である。図２に示すように、この車載システムは、センター１０と車載装置２０とを有するので、ここでは、それぞれの構成について具体的に説明する。
【００２５】
（センター１０の構成）
図２に示すように、センター１０は、無線通信部１１と、ユーザ情報ＤＢ１２と、コンテンツＤＢ１３と、制御部１５とを有するサーバ装置である。
【００２６】
無線通信部１１は、車載装置２０や他のセンターとの間でやり取りする各種情報に関する通信を制御する。具体的には、無線通信部１１は、後述する車載装置ＩＤやユーザＩＤなどを車載装置２０から受信したり、後述するユーザ情報やコンテンツを車載装置２０に提供したりする。
【００２７】
ユーザ情報ＤＢ１２は、車載装置と当該車載装置を使用するユーザとを対応付けて記憶する。具体的に例を挙げると、ユーザ情報ＤＢ１２は、図３に示すように、「車載装置ＩＤ、ユーザＩＤ、ユーザ名、電話番号、生年月日、性別、趣味、コンテンツ提供履歴」として「Ｓ０１、Ｕ００１、特許太郎、０９０−ｘｘｘ−ｘｘｘｘ、1940/1/15、男、ゴルフ・カラオケ、ゴルフ中継ＴＶ、カラオケ」や「Ｓ０１、Ｕ００２、特許花子、０７０−ｙｙｙ−ｙｙｙｙ、1945/5/13、女、料理・音楽、料理番組ＴＶ、ヒットチャート」などを記憶する。なお、図３は、ユーザ情報ＤＢに記憶される情報の例を示す図であり、各種のデータやパラメータを含む情報については、特記する場合を除いて任意に変更することができる。
【００２８】
ここで記憶される「車載装置ＩＤ」とは、無線通信で接続される車載装置を一意に識別する識別子（固有情報）であり、「ユーザＩＤ」とは、車載装置のユーザを識別する識別子であり、「ユーザ名」とは、ユーザＩＤにより特定されるユーザの名前である。また、「電話番号」とは、ユーザＩＤにより特定されるユーザが使用する電話番号であり、「生年月日」とは、ユーザＩＤにより特定されるユーザの生年月日であり、「性別」とは、ユーザＩＤにより特定されるユーザの性別である。また、「趣味」とは、ユーザＩＤにより特定されるユーザの嗜好情報であり、「コンテンツ履歴」とは、ユーザＩＤにより特定されるユーザに対して以前に提供したコンテンツを示す情報である。
【００２９】
コンテンツＤＢ１３は、車載装置２０に提供するコンテンツを記憶する。具体的に例を挙げれば、コンテンツＤＢ１３は、図４に示すように、「コンテンツＩＤ、コンテンツ内容、ソース」として「Ｃ００１、音楽提供、ＤＢ」、「Ｃ００２、ニュース、http://news」や「Ｃ００３、料理番組、ＴＶ」などを記憶する。なお、図４は、コンテンツＤＢに記憶される情報の例を示す図であり、各種のデータやパラメータを含む情報については、特記する場合を除いて任意に変更することができる。
【００３０】
ここで記憶される「コンテンツＩＤ」とは、コンテンツを一意に識別する識別子であり、「コンテンツ内容」とは、コンテンツＩＤにより特定されるコンテンツの内容であり、「ソース」とは、コンテンツＩＤにより特定されるコンテンツの提供元を示す情報である。
【００３１】
制御部１５は、ＯＳ（Operating  System）などの制御プログラム、各種の処理手順などを規定したプログラムおよび所要データを格納するための内部メモリを有するとともに、データ処理部１５ａと、ユーザ特定部１５ｂと、コンテンツ提供部１５ｃとを有し、これらによって種々の処理を実行する。
【００３２】
データ処理部１５ａは、ユーザ情報ＤＢ１２やコンテンツＤＢ１３などの編集や新規登録などのデータ処理などセンター１０で実施されるデータ処理を実行する。具体的には、データ処理部１５ａは、後述する車載装置２０で記憶されるユーザ情報と、センター１０のユーザ情報ＤＢ１２との整合性を保つように、車載装置２０で記憶されるユーザ情報にあわせてユーザ情報ＤＢ１２を更新したりする。
【００３３】
ユーザ特定部１５ｂは、車載装置２０のユーザを特定する。具体的には、ユーザ特定部１５ｂは、無線通信部１１を介して車載装置２０から車載装置ＩＤを受信した場合には、受信した車載装置ＩＤに対応するユーザＩＤやユーザ情報をユーザ情報ＤＢ１２から特定して車載装置２０に送信する。また、ユーザ特定部１５ｂは、無線通信部１１を介して車載装置２０からユーザＩＤを受信した場合には、受信したユーザＩＤに対応するユーザ情報（例えば、趣味などの嗜好情報）をユーザ情報ＤＢ１２から特定して、後述するコンテンツ提供部１５ｃに出力する。
【００３４】
上記した例で具体的に説明すると、ユーザ特定部１５ｂは、無線通信部１１を介して車載装置２０から「車載装置ＩＤ＝Ｓ０１」を受信した場合には、受信した車載装置ＩＤ「Ｓ０１」に対応するユーザ情報「Ｕ００１〜Ｕ００３」をユーザ情報ＤＢ１２から特定して車載装置２０に送信する。なお、ユーザ特定部１５ｂは、車載装置ＩＤ「Ｓ０１」に対応する「Ｕ００１〜Ｕ００３」のレコードをすべて車載装置２０に送信してもよく、車載装置ＩＤ「Ｓ０１」に対応する「Ｕ００１〜Ｕ００３」のレコードそれぞれの一部のみを車載装置２０に送信してもよい。
【００３５】
また、ユーザ特定部１５ｂは、無線通信部１１を介して車載装置２０から「ユーザＩＤ＝Ｕ００２」を受信した場合には、受信したユーザＩＤ「Ｕ００２」に対応する趣味「料理、音楽」をユーザ情報ＤＢ１２から特定して、後述するコンテンツ提供部１５ｃに出力する。
【００３６】
コンテンツ提供部１５ｃは、ユーザ特定部１５ｂにより特定されたユーザに対応するコンテンツを提供する。具体的には、コンテンツ提供部１５ｃは、ユーザ特定部１５ｂから入力されたユーザＩＤに対応付けて記憶される「趣味」をユーザ情報ＤＢ１２から特定し、特定した「趣味」に対応するコンテンツをコンテンツＤＢ１３から特定する。そして、コンテンツ提供部１５ｃは、特定したコンテンツをソースから取得して車載装置２０に提供する。
【００３７】
例えば、コンテンツ提供部１５ｃは、特定したコンテンツのソースが「ＤＢ」の場合には、自装置内のメモリや他のセンターなどのデータベースからコンテンツを取得して提供し、コンテンツのソースが「ＵＲＬ」で記述されている場合には、当該ＵＲＬにより提供されるＷｅｂページを提供し、コンテンツのソースが「ＴＶ」である場合には、当該コンテンツ（番組など）をＴＶ電波で受信して提供する。
【００３８】
上記した例で具体的に説明すると、コンテンツ提供部１５ｃは、ユーザ特定部１５ｂから入力されたユーザＩＤ「Ｕ００２」に対応付けて記憶される「趣味＝料理・音楽」をユーザ情報ＤＢ１２から特定し、特定した「趣味＝料理・音楽」に対応するコンテンツ「Ｃ００１またはＣ００３」をコンテンツＤＢ１３から特定する。そして、コンテンツ提供部１５ｃは、特定したコンテンツ「Ｃ００３」をソース「ＴＶ」から取得して車載装置２０に提供する。このように、二つ以上のコンテンツが特定された場合には、コンテンツＩＤが若いコンテンツを提供したり、コンテンツ提供履歴から提供回数の多いコンテンツを提供したり、どのコンテンツを提供するかを車載装置２０に送信してユーザに選択させたりすることもできる。
【００３９】
（車載装置２０の構成）
次に、車載装置２０の構成について説明する。図２に示すように、車載装置２０は、無線通信部２１と、ＡＣＣ２２と、近距離通信部２３と、ラジオ受信部２４と、ＴＶ受信部２５と、ＧＰＳ送受信部２６と、ディスク再生部２７と、メモリーカード再生部２８と、ディスプレイ２９と、スピーカー３０と、操作部３１と、各種センサ３２と、記憶部３５と、制御部４０とを有する。
【００４０】
無線通信部２１は、センター１０や他の車載装置との間でやり取りする各種情報に関する通信を制御する。具体的には、無線通信部２１は、センター１０に対して車載装置ＩＤを送信したり、ユーザＩＤを送信したりし、また、センター１０からユーザ情報やコンテンツを受信したりする。
【００４１】
ＡＣＣ２２は、車両のエンジン駆動機であり、エンジンがＯＮになると電力が車載装置２０に提供され、エンジンがＯＦＦになると、電力の供給が停止する。
【００４２】
近距離通信部２３は、ブルートゥース（登録商標）、Ｗｉ−Ｆｉ（ワイファイ：登録商標）、ＺｉｇＢｅｅ（ジグビー：登録商標）などの近距離無線通信を用いて、車両内の携帯端末との通信リンクを確立するとともに、確立した通信リンクを用いて通信処理を行う。ここで、ブルートゥース（Bluetooth：登録商標）とは、２．４ＧＨｚの周波数帯を用いて半径数１０ｍ程度の無線通信を行う近距離無線通信規格であり、近年では、携帯電話やパーソナルコンピュータなどの電子機器に広く適用されている。
【００４３】
ラジオ受信部２４は、各ラジオ局に無線通信で接続され、ＦＭ、ＡＭなどを受信して、受信したラジオコンテンツを後述する制御部４０に出力する。ＴＶ受信部２５は、各ＴＶ局に無線通信で接続され、アナログ放送、デジタル放送、ケーブルテレビなどを各ＴＶ局から受信して、受信したＴＶコンテンツを後述する制御部４０に出力する。
【００４４】
ＧＰＳ送受信部２６は、Global  Positioning  System（ＧＰＳ）人工衛星と通信して特定した自車両の位置を制御部４０や図示しないカーナビゲーションに出力する装置であり、ディスク再生部２７は、ＣＤ−ＲＯＭ、ＭＤ、ＤＶＤなどの記憶媒体を受け付けて、当該記憶媒体に書き込まれているコンテンツを読み出して、後述する制御部４０に出力する。
【００４５】
メモリーカード再生部２８は、メモリーカードを受け付けて、メモリーカードに書き込まれているコンテンツなどを読み出して、後述する制御部４０に出力する。ディスプレイ２９は、制御部４０により入力されたコンテンツの画像データに基づいて、ユーザすなわち自車両乗員に対して表示による通知を行なうタッチパネルや液晶ディスプレイである。
【００４６】
スピーカー３０は、制御部４０により入力されたコンテンツの音声データに基づいて、ユーザすなわち自車両乗員に対して音声を出力する。操作部３１は、ディスプレイ２９やマウスと協働してポインティングディバイス機能を実現する装置であり、また、図示しないカーナビゲーション、当該車載装置２０、当該車載装置２０と連携接続される車載オーディオ装置など他の車載装置を操作するリモコンなどである。
【００４７】
各種センサ３２は、例えば、車両の速度を検出する車速センサ、車両の加速度を検出する加速度センサ、ブレーキの状態を検出するブレーキセンサ、タイヤの方向を検出するステアリングセンサなど車両に搭載されるセンサであり、得られた情報を制御部４０に出力する。
【００４８】
記憶部３５は、制御部４０による各種処理に必要なデータおよびプログラムを格納するとともに、キャッシュＤＢ３５ａと、ユーザプロファイルＤＢ３５ｂとを有し、車載装置２０に割り当てられた車載装置ＩＤ（例えば、Ｓ０１）を記憶する。キャッシュＤＢ３５ａは、過去にセンター１０から提供されて、車両内に表示出力したコンテンツを記憶するキャッシュメモリである。
【００４９】
ユーザプロファイルＤＢ３５ｂは、車両に乗車するユーザ、すなわち、車載装置２０を使用するユーザ情報を記憶する。これらユーザ情報は、車載装置２０にユーザが直接入力してもよいし、ユーザが所有する携帯端末から転送する等して取得してもよい。具体的には、ユーザプロファイルＤＢ３５ｂは、図５に示すように、「ユーザＩＤ、ユーザ名、電話番号、生年月日、性別、趣味」として「Ｕ００１、特許太郎、０９０−ｘｘｘ−ｘｘｘｘ、1940/1/15、男、ゴルフ・カラオケ」、「Ｕ００２、特許花子、０７０−ｙｙｙ−ｙｙｙｙ、1945/5/13、女、料理・音楽」、「Ｕ００３、特許次郎、−、2000/2/2、男、アニメ」などを記憶する。なお、図５は、ユーザプロファイルＤＢに記憶される情報の例を示す図であり、各種のデータやパラメータを含む情報については、特記する場合を除いて任意に変更することができる。
【００５０】
ここで記憶される「ユーザＩＤ」とは、ユーザを一意に識別する識別子であり、「ユーザ名」とは、ユーザＩＤにより特定されるユーザの氏名であり、「電話番号」とは、ユーザＩＤにより特定されるユーザが利用する携帯電話などの電話番号である。また、「生年月日」とは、ユーザＩＤにより特定されるユーザの生年月日であり、「性別」とは、ユーザＩＤにより特定されるユーザの性別であり、「趣味」とは、ユーザＩＤにより特定されるユーザの嗜好情報である。
【００５１】
制御部４０は、ＯＳ（Operating  System）などの制御プログラム、各種の処理手順などを規定したプログラム、カーナビゲーションなどのナビゲーション処理および所要データを格納するための内部メモリを有するとともに、ユーザ情報登録／編集部４１と、車載装置ＩＤ送信部４２と、ユーザ情報表示部４３と、通信応答部４４と、コンテンツ処理部４５とを有し、これらによって種々の処理を実行する。
【００５２】
ユーザ情報登録／編集部４１は、ユーザプロファイルＤＢ３５ｂに新たに情報を登録したり、既に登録されている情報を編集したりする。具体的に例を挙げると、ユーザ情報登録／編集部４１は、ユーザプロファイルＤＢ３５ｂを更新する指示がされると、図６−１に示すような「新規登録」か「編集」かを選択させる画面をディスプレイ２９に出力する。そして、ユーザ情報登録／編集部４１は、「新規登録」が選択されると、図６−２に示すような「ユーザ名」、「電話番号」、「生年月日」、「性別」、「趣味」の入力を受け付ける新規登録画面を出力し、各情報が入力されると、新たなユーザＩＤに対応付けてユーザプロファイルＤＢ３５ｂに格納する。
【００５３】
一方、ユーザ情報登録／編集部４１は、「編集」が選択されると、図６−３に示すような、編集する「ユーザ名」を入力させるユーザ編集画面をディスプレイ２９に出力する。そして、「ユーザ編集画面」において「ユーザ名」が入力されて「編集」ボタンがクリックされたユーザ情報登録／編集部４１は、図６−４に示すような、どの情報を編集するのかを問い合わせる「ユーザ編集画面」をディスプレイ２９に出力する。その後、ユーザ情報登録／編集部４１は、図６−４の画面で編集する情報がクリックされて、新たな情報が入力されると、当該新たに入力された情報でユーザプロファイルＤＢ３５ｂを更新する。
【００５４】
なお、図６−１は、ユーザ登録／編集画面の例を示す図であり、図６−２は、新規登録画面の例を示す図であり、図６−３と図６−４は、ユーザ編集画面の例を示す図である。
【００５５】
図２に戻り、車載装置ＩＤ送信部４２は、センター１０に車載装置ＩＤを送信する。具体的には、車載装置ＩＤ送信部４２は、ＡＣＣがＯＮになったことがＡＣＣ２２から通知されて電力が供給されると、記憶部３５に記憶される車載装置ＩＤ（Ｓ０１）をセンター１０に送信する。
【００５６】
ユーザ情報表示部４３は、センター１０から受信したユーザ情報をディスプレイ２９に表示出力する。具体的には、ユーザ情報表示部４３は、車載装置ＩＤ送信部４２により車載装置ＩＤ（Ｓ０１）がセンター１０に送信されて、センター１０から受信した車載装置２０のユーザ情報（Ｕ００１〜Ｕ００３）をディスプレイ２９に表示出力する。
【００５７】
なお、ユーザ情報表示部４３は、センター１０から受信した情報全て（例えば、「Ｕ００１〜Ｕ００３」のレコードをすべて）をディスプレイ２９に表示出力してもよく、センター１０から受信した情報の一部（例えば、「Ｕ００１〜Ｕ００３」のレコードのうち、ユーザ名称と趣味のみなど）をディスプレイ２９に表示出力してもよい。
【００５８】
通信応答部４４は、コンテンツ提供を依頼するユーザを特定した情報をセンター１０に送信する。具体的には、通信応答部４４は、ユーザ情報表示部４３によりディスプレイ２９に表示出力されたユーザ情報のうち、操作部３１などを介してユーザに選択されたユーザ情報に対応するユーザＩＤを、センター１０から受信したユーザ情報やユーザプロファイルＤＢ３５ｂから特定してセンター１０に送信する。例えば、通信応答部４４は、ユーザ情報表示部４３によりディスプレイ２９に表示出力されたユーザ情報「Ｕ００１〜Ｕ００３」のうち、操作部３１などを介してユーザに選択されたユーザＩＤ「Ｕ００２」をセンター１０に送信する。
【００５９】
コンテンツ処理部４５は、センター１０から受信したコンテンツを車両内に提供する。具体的には、コンテンツ処理部４５は、センター１０から受信したコンテンツの画像データをディスプレイ２９に表示し、センター１０から受信したコンテンツの音声データをスピーカー３０から出力する。また、コンテンツ処理部４５は、センター１０からＵＲＬなどを受信した場合には、当該ＵＲＬにアクセスしてＷｅｂページを取得し、取得したＷｅｂページをディスプレイ２９に表示出力する。
【００６０】
また、コンテンツ処理部４５は、センター１０からＴＶのチャンネル情報などを受信した場合には、ＴＶ受信部２５を用いて当該チャンネルのＴＶ番組を取得し、取得したＴＶ番組をディスプレイ２９およびスピーカー３０に出力する。また、コンテンツ処理部４５は、センター１０からラジオの周波数などを受信した場合には、ラジオ受信部２４を用いて当該周波数のラジオ放送を取得し、取得したラジオ放送をスピーカー３０に出力する。
【００６１】
［車載システムによる処理］
次に、図７を用いて、車載システムによる処理を説明する。図７は、実施例１に係る車載システムにおけるコンテンツ提供処理の流れを示すシーケンス図である。
【００６２】
図７に示すように、車載システムの車載装置２０は、ＡＣＣがＯＮされると（ステップＳ１０１）、車載装置ＩＤを記憶部３５から取得して、センター１０に送信する（ステップＳ１０２）。
【００６３】
車載装置ＩＤを受信したセンター１０は、受信した車載装置ＩＤに基づいて、通信を行った車載装置をユーザ情報ＤＢ１２から特定するとともに（ステップＳ１０３）、特定された車載装置に対応付けてユーザ情報ＤＢ１２に記憶されるユーザ情報を車載装置２０に送信する（ステップＳ１０４）。
【００６４】
ユーザ情報を受信した車載装置２０は、受信したユーザ情報をディスプレイ２９に表示出力して（ステップＳ１０５）、表示出力したユーザ情報から、コンテンツを要求するユーザの特定をユーザから受け付けると、特定されたユーザのユーザＩＤをセンター１０に送信する（ステップＳ１０６）。
【００６５】
また、ステップＳ１０６においてユーザが特定されると、車載装置２０は、特定されたユーザに対応したシステム設定、例えば、高年齢であれば、ディスプレイ２９の表示文字を大きくしたり、スピーカー３０の出力音声を大きくしたりするなどを行う。
【００６６】
そして、センター１０は、車載装置２０から受信したユーザＩＤに対応する「趣味」をユーザ情報ＤＢ１２から特定し（ステップＳ１０７）、特定した「趣味」に対応するコンテンツをコンテンツＤＢ１３から取得して車載装置２０に提供する（ステップＳ１０８）。
【００６７】
こうして、車載装置２０は、センター１０から受信したコンテンツの画像データをディスプレイ２９に表示し、センター１０から受信したコンテンツの音声データをスピーカー３０から出力する（ステップＳ１０９）。
【００６８】
［実施例１による効果］
このように、実施例１によれば、車両を良く使うユーザ以外のユーザの情報も登録しておき、どのユーザ情報を用いるかをユーザに選択させることができる結果、任意にユーザに対応した情報を提供することが可能である。また、実施例１によれば、ユーザにあわせたサービスを車載装置２０とセンター１０との両方から提供することができる。
【００６９】
また、図８に示すように、センターと車載装置との通信を、乗員個々の携帯端末を介して行うことにより、センター側でユーザを特定し、特定したユーザに対応するコンテンツを提供する手法も考えられる。ところが、この手法の場合、車載装置側に無線通信インタフェース（ユニット）を増幅させる必要があったり、携帯端末との通信からユーザを特定する複雑な機能をセンター側に組み込む必要があったりする。つまり、図８の手法では、既存の車載装置およびセンターを用いることができないため、車載装置やセンター構築コストが増加し、一般的な普及も見込めない。
【００７０】
これに比べて、実施例１に係る車載システムでは、車載装置側に無線通信インタフェース（ユニット）を増幅させる必要もなく、車載装置とセンターとは既存のインタフェースを用い、車載装置に接続された携帯電話の情報をセンターに反映させるので、車載装置とセンター間で各携帯電話固有のインタフェースを増設する必要がない。また、携帯端末との通信からユーザを特定する複雑な機能をセンター側に組み込む必要もない。また、運転時の情報取得は、車載装置で実行し、運転時以外（歩行時、電車に乗っているなど）の時の情報取得は、携帯電話で実行するという切り分けにおいて、シームレスに車載装置と携帯電話の個人に適応した情報をリアルタイムに整合させることで、よりユーザにとって使い易いシステム提供ができる。
【００７１】
したがって、実施例１に係る車載システムでは、既存のシステムを踏襲することができる結果、車載装置やセンター構築コストが増加を防止することができ、一般的な普及が期待できる。なお、図８は、車載装置とセンターとを用いた別の車載システムの例を示す図である。
【実施例２】
【００７２】
次に、図９〜図１１を用いて、車載装置２０とセンター１０との間で、記憶されるユーザ情報が異ならないように、ユーザ情報を同期（整合）させる例について説明する。
【００７３】
まず、図９を用いて、実施例２に係る車載システムにおけるユーザ情報同期処理の流れを説明する。図９は、実施例２に係る車載システムにおけるユーザ情報同期処理の流れを示すフローチャートである。
【００７４】
図９に示すように、車載システムの車載装置２０は、ＡＣＣがＯＮされて車載装置ＩＤをセンター１０に送信し、センター１０からユーザ情報を受信すると（ステップＳ２０１肯定）、センター１０から受信したユーザ情報と、自装置のユーザプロファイルＤＢ３５ｂに記憶されるユーザ情報と両方において、「電話番号」が未設定のユーザ情報が存在するか否かを判定する（ステップＳ２０２）。なお、ユーザプロファイルＤＢ３５ｂのユーザ情報は、携帯端末から取得することもできる。
【００７５】
そして、車載装置２０は、センター１０から受信したユーザ情報と、自装置に記憶されるユーザ情報と両方において、「電話番号」が未設定のユーザ情報が存在しない場合（ステップＳ２０２否定）、センター１０から受信したユーザ情報それぞれと、自装置のユーザプロファイルＤＢ３５ｂに記憶されるユーザ情報それぞれとの間で、「電話番号」が一致するか否かを判定する（ステップＳ２０３）。
【００７６】
続いて、車載装置２０は、センター１０から受信したユーザ情報それぞれと、自装置のユーザプロファイルＤＢ３５ｂに記憶されるユーザ情報それぞれとの間で、「電話番号」が一致しない場合（ステップＳ２０３否定）、受信したユーザ情報それぞれと、自装置内で記憶されるユーザ情報それぞれとの間で、「生年月日」が一致するか否かを判定する（ステップＳ２０４）。
【００７７】
そして、車載装置２０は、受信したユーザ情報それぞれと、自装置内で記憶されるユーザ情報それぞれとの間で、「生年月日」が一致する場合（ステップＳ２０４肯定）、受信したユーザ情報それぞれと、自装置内で記憶されるユーザ情報それぞれとの間で、「性別」が一致するか否かを判定する（ステップＳ２０５）。
【００７８】
そして、車載装置２０は、受信したユーザ情報それぞれと、自装置内で記憶されるユーザ情報それぞれとの間で、「性別」が一致する場合（ステップＳ２０５肯定）、自装置のユーザプロファイルＤＢ３５ｂで「電話番号」が未設定であるか否かを判定し（ステップＳ２０６）、未設定である場合には（ステップＳ２０６肯定）、センター１０から受信したユーザ情報に含まれる「電話番号」を自装置のユーザプロファイルＤＢ３５ｂに格納する（ステップＳ２０７）。
【００７９】
一方、ステップＳ２０４において、受信したユーザ情報それぞれと、自装置内で記憶されるユーザ情報それぞれとの間で、「生年月日」が一致しない場合（ステップＳ２０４否定）、車載装置２０は、自装置のユーザプロファイルＤＢ３５ｂで「生年月日」が未設定であり（ステップＳ２０８肯定）、かつ、自装置のユーザプロファイルＤＢ３５ｂで「性別」が設定済みである場合（ステップＳ２０９否定）、ユーザを特定することができないため処理を終了する。
【００８０】
なお、車載装置２０は、自装置のユーザプロファイルＤＢ３５ｂで「生年月日」が未設定でない、つまり、設定済みである場合（ステップＳ２０８否定）、ステップＳ２０５の処理を実行する。
【００８１】
また、ステップＳ２０５において、受信したユーザ情報それぞれと、自装置内で記憶されるユーザ情報それぞれとの間で、「性別」が一致しない場合（ステップＳ２０５否定）、車載装置２０は、ステップＳ２０９の処理を実行する。つまり、車載装置２０は、自装置のユーザプロファイルＤＢ３５ｂで「性別」が設定済みである場合（ステップＳ２０９否定）、ユーザを特定することができないため処理を終了し、自装置のユーザプロファイルＤＢ３５ｂで「性別」が未設定である場合（ステップＳ２０９肯定）、ステップＳ２０６の処理を実行する。
【００８２】
ステップＳ２０２に戻り、センター１０から受信したユーザ情報と、自装置のユーザプロファイルＤＢ３５ｂに記憶されるユーザ情報と両方において、「電話番号」が未設定のユーザ情報が存在する場合（ステップＳ２０２肯定）、車載装置２０は、受信したユーザ情報それぞれと自装置内で記憶されるユーザ情報それぞれとの間で「生年月日」が一致せず（ステップＳ２１０否定）、かつ、自装置のユーザプロファイルＤＢ３５ｂで「生年月日」が未設定である場合（ステップＳ２１１肯定）、センター１０から受信したユーザ情報に含まれる「生年月日」を自装置のユーザプロファイルＤＢ３５ｂに格納する（ステップＳ２１２）。
【００８３】
なお、ステップＳ２１０において、受信したユーザ情報それぞれと自装置内で記憶されるユーザ情報それぞれとの間で「生年月日」が一致する場合（ステップＳ２１０肯定）や、ステップＳ２１１において、自装置のユーザプロファイルＤＢ３５ｂで「生年月日」が設定済みである場合（ステップＳ２１１否定）、車載装置２０は、ステップＳ２１３の処理を実行する。
【００８４】
続いて、受信したユーザ情報それぞれと自装置内で記憶されるユーザ情報それぞれとの間で「性別」が一致せず（ステップＳ２１３否定）、かつ、自装置のユーザプロファイルＤＢ３５ｂで「性別」が未設定である場合（ステップＳ２１４肯定）、センター１０から受信したユーザ情報に含まれる「性別」を自装置のユーザプロファイルＤＢ３５ｂに格納する（ステップＳ２１５）。
【００８５】
なお、ステップＳ２１３において、受信したユーザ情報それぞれと自装置内で記憶されるユーザ情報それぞれとの間で「性別」が一致する場合（ステップＳ２１３肯定）や、ステップＳ２１４において、自装置のユーザプロファイルＤＢ３５ｂで「性別」が設定済みである場合（ステップＳ２１４否定）、車載装置２０は、処理を終了する。
【００８６】
また、ステップＳ２０３において、車載装置２０は、センター１０から受信したユーザ情報それぞれと、自装置のユーザプロファイルＤＢ３５ｂに記憶されるユーザ情報それぞれとの間で、「電話番号」が一致する場合（ステップＳ２０３肯定）、ステップＳ２１０〜ステップＳ２１５の処理を実行する。
【００８７】
また、ステップＳ２０１において、車載システムの車載装置２０が、ＡＣＣがＯＮされて車載装置ＩＤをセンター１０に送信した後、センター１０からユーザ情報を受信しない場合（ステップＳ２０１否定）、ユーザからの入力（指示操作）や携帯端末との通信などにより特定したユーザのユーザＩＤをセンター１０へ通知して、当該処理を終了する（ステップＳ２１６）。
【００８８】
次に、図１０と図１１とを用いて、図９で説明したフローで実施される処理を説明する。車載装置２０は、図１０に示すように、センター１０から受信したユーザ情報の「電話番号」、「生年月日」、「性別」の少なくとも一つの情報が設定されている場合、または、ユーザプロファイルＤＢ３５ｂで記憶するユーザ情報の「電話番号」、「生年月日」、「性別」の少なくとも一つの情報が設定されている場合、ユーザを特定することができる。なお、図１０は、ユーザ情報の整合および反映条件を示す図である。
【００８９】
したがって、車載装置２０は、特定したユーザに関するユーザ情報をセンター１０から受信した情報で更新することができる。具体的には、車載装置２０は、図１１に示すルールに基づいて、ユーザ情報を反映することができる。図１０の上から４行目を例にして説明すると、車載装置２０は、センター１０から受信したユーザ情報に「電話番号」、「生年月日」、「性別」が設定されており、自装置のユーザプロファイルＤＢ３５ｂでは「電話番号」のみが設定されている場合、両方で設定されている「電話番号」でユーザを特定して、センター１０の「生年月日」、「性別」をユーザプロファイルＤＢ３５ｂに新たに格納する。なお、図１１は、ユーザ情報反映ルールの例を示す図である。
【００９０】
また、実施例２では、車載装置２０側で上記したフロー処理（図９）を実行する例について説明したが、センター１０側でも同じ処理を実行することができる。また、実施例２では、車載装置２０のユーザ情報をセンター１０から受信したユーザ情報で更新する例について説明したが、例えば、双方のユーザ情報に更新日時を格納しておくことで、新しい情報を優先して更新することもできる。
【００９１】
具体的には、車載装置２０は、センター１０からユーザ情報を受信した場合に、当該受信したユーザ情報よりもユーザプロファイルＤＢ３５ｂに記憶されるユーザ情報の更新日時が古い場合には、受信したユーザ情報でユーザプロファイルＤＢ３５ｂに記憶されるユーザ情報を更新する。また、車載装置２０は、当該受信したユーザ情報よりもユーザプロファイルＤＢ３５ｂに記憶されるユーザ情報の更新日時が新しい場合には、ユーザプロファイルＤＢ３５ｂに記憶されるユーザ情報をセンター１０に送信する。
【００９２】
このように、実施例２によれば、車載装置２０またはセンター１０のどちらでユーザ情報を設定／更新しても正しく反映させることができるので、ユーザの利便性を向上させることができる。また、ユーザ情報の共通項目（上記した例では、電話番号、生年月日、性別）に未設定があれば、自動で反映させることができる。
【００９３】
また、車載装置２０は、当該受信したユーザ情報と、ユーザプロファイルＤＢ３５ｂに記憶されるユーザ情報とを比較した結果、ユーザプロファイルＤＢ３５ｂに記憶されるユーザ情報に登録されており、受信したユーザ情報に登録されていない項目内容が存在する場合には、受信したユーザ情報に登録されていない項目内容の登録情報をユーザプロファイルＤＢ３５ｂから取得して、センター１０に通知することもできる。
【００９４】
また、車載装置２０は、当該受信したユーザ情報と、ユーザプロファイルＤＢ３５ｂに記憶されるユーザ情報とを比較し、受信したユーザ情報とユーザプロファイルＤＢ３５ｂに記憶されるユーザ情報とのいずれか一方に登録されており、他方のユーザ情報には登録されていない項目内容が存在する場合に、受信したユーザ情報とユーザプロファイルＤＢ３５ｂとのいずれか一方に登録されている項目内容を、他方のユーザ情報に追加登録することもできる。
【実施例３】
【００９５】
さて、これまで本発明の実施例について説明したが、本発明は上述した実施例以外にも、種々の異なる形態にて実施されてよいものである。
【００９６】
（キャッシュ情報）
例えば、本願が開示する車載装置では、ユーザが特定されると、センター１０にユーザＩＤを送信することなく、キャッシュＤＢ３５ａに記憶されるキャッシュ情報を用いてコンテンツを提供することもできる。また、車載装置では、ユーザが特定されると、ユーザＩＤを送信することなく、キャッシュＤＢ３５ａから特定したコンテンツ情報とをセンター１０に送信することで、センター１０側でのコンテンツ特定および取得処理を省略することもできる。
【００９７】
（システム構成等）
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報（例えば、図３〜図５、図１０、図１１）については、特記する場合を除いて任意に変更することができる。
【００９８】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合（例えば、通信応答部とコンテンツ処理部とを統合するなど）して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００９９】
（プログラム）
なお、本実施例で説明したコンテンツ提供方法は、あらかじめ用意されたプログラムをパーソナルコンピュータやワークステーションなどのコンピュータで実行することによって実現することができる。このプログラムは、インターネットなどのネットワークを介して配布することができる。また、このプログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することもできる。
【産業上の利用可能性】
【０１００】
以上のように、本発明に係るコンテンツ出力装置およびコンテンツ提供システムは、ネットワークを介して接続されるセンターからコンテンツを受信することに有用であり、特に、任意にユーザに対応したコンテンツを提供することに適する。
【符号の説明】
【０１０１】
１０  センター
１１  無線通信部
１２  ユーザ情報ＤＢ
１３  コンテンツＤＢ
１５  制御部
１５ａ  データ処理部
１５ｂ  ユーザ特定部
１５ｃ  コンテンツ提供部
２０  車載装置
２１  無線通信部
２２  ＡＣＣ
２３  近距離通信部
２４  ラジオ受信部
２５  ＴＶ受信部
２６  ＧＰＳ送受信部
２７  ディスク再生部
２８  メモリーカード再生部
２９  ディスプレイ
３０  スピーカー
３１  操作部
３２  各種センサ
３５  記憶部
３５ａ  キャッシュＤＢ
３５ｂ  ユーザプロファイルＤＢ
４０  制御部
４１  ユーザ情報登録／編集部
４２  車載装置ＩＤ送信部
４３  ユーザ情報表示部
４４  通信応答部
４５  コンテンツ処理部
【図１】
2010178076.tif 000003
【図２】
2010178076.tif 000004
【図３】
2010178076.tif 000005
【図４】
2010178076.tif 000006
【図５】
2010178076.tif 000007
【図６−１】
2010178076.tif 000008
【図６−２】
2010178076.tif 000009
【図６−３】
2010178076.tif 000010
【図６−４】
2010178076.tif 000011
【図７】
2010178076.tif 000012
【図８】
2010178076.tif 000013
【図９】
2010178076.tif 000014
【図１０】
2010178076.tif 000015
【図１１】
2010178076.tif 000016